(57)【特許請求の範囲】
【請求項１】
ディスクに記録された情報を読みとるディスク読取部を備えた再生ユニットをディスク装置のシャーシに保持する再生ユニット保持機構において、
前記シャーシには、該シャーシの取付面上に、前記再生ユニットを浮動状態に支持する支持手段と、
前記再生ユニットを重力に抗して前記取付面と平行な方向に弾性的に押圧する押圧手段とが設けられ、
前記押圧手段は、
前記シャーシに、基端部を支点として回転可能に設けられたアーム部と、
このアーム部の先端部を前記再生ユニットに弾性的に付勢する付勢手段とを備え、
前記付勢手段によって前記アーム部の先端部が前記再生ユニットに弾性的に当接することで、該再生ユニットを重力に抗して弾性的に押圧していることを特徴とする再生ユニット保持機構。
【請求項２】
請求項１記載の再生ユニット保持機構において、
前記押圧手段が前記再生ユニットの周囲に複数配置されていることを特徴とする再生ユニット保持機構。
【発明の詳細な説明】
【０００１】
【発明の属する技術分野】
本発明は、ＣＤプレーヤ等のディスク装置において、ディスクの記録内容を読みとるための再生ユニットを該ディスク装置のシャーシに保持するための再生ユニット保持機構に関する。
【０００２】
【従来の技術】
例えば、ＣＤプレーヤ等の従来のディスクプレーヤは、ディスクの記録内容を読みとるための再生ユニットを備えている。従来の再生ユニットについて簡単に説明する。図５は、従来の再生ユニットを概略して示す斜視図であり、再生ユニットを縦置き用のディスクプレーヤに設けた場合の図面である。従来の再生ユニット９０は、ＣＤ等のディスクをクランプして保持するためのターンテーブル９１と、ターンテーブル９１を回転駆動させる回転駆動機構（図示略）と、ディスクの信号を読みとるピックアップ機構９２と、前記回転駆動機構及び前記ピックアップ機構９２を支持する再生ユニットシャーシ９３とを備えて構成されている。
【０００３】
ところで、基本的に、この従来例の再生ユニット９０は、ディスクプレーヤを横置きにするために（ディスクが略水平状態になるように）設計されているものである。即ち、再生ユニットシャーシ９３には取付部９３ａが形成されており、取付部９３ａ，９３ａ，…においてインシュレータが再生ユニットシャーシ９３（再生ユニット９０）を横置き用ディスクプレーヤのシャーシに浮動状態に支持している。
【０００４】
さて、以下の保持機構８０をディスクプレーヤに設けることにより、縦置き用のディスクプレーヤ或いは縦横兼用のディスクプレーヤに横置き用の再生ユニット９０を用いている。即ち、保持機構８０は、再生ユニット９０に対して固定的に設けられるベース板９４と、凹部を有するとともにディスクプレーヤのシャーシに対して固定的に設けられるシャーシ９５と、シャーシ９５の凹部内の底面にベース板９４を浮動状態に支持するインシュレータ９６，９６，…と、ベース板９４とシャーシ９５の間に架けられる引張バネ９７，９７とを備えて構成されている。ここで、取付部９３ａ，９３ａ，…においてネジ９９がベース板９４と再生ユニットシャーシ９３を固定している。そして、ベース板９４に貫通孔が形成されており、この貫通孔においてインシュレータ９６がベース板９４をシャーシ９５に対して浮動状態に支持している。
【０００５】
即ち、ベース板９４とシャーシ９５の間にインシュレータ９６，９６，…が介在しているため、ディスクプレーヤを縦置きにした場合にベース板９４とともに再生ユニット９０がシャーシ９５に対して下方にずれてしまう。再生ユニット９０が下方にずれることを防止するために、再生ユニット９０とともにベース板９４を引張バネ９７，９７によって上方から吊っている。
【０００６】
【発明が解決しようとする課題】
ところで、再生ユニット９０は横置き用に設計されているため、再生ユニット９０自体に引張バネ９７，９７を連結するための連結部が設けられていない。したがって、横置き用の再生ユニット９０を縦置き用に使用するためには、引張バネ９７，９７を連結するための連結部９８，９８を備えたベース板９４を、再生ユニット９０に取り付ける必要がある。したがって、従来の保持機構８０では、再生ユニット９０にベース板９４を取り付けるため、その分のスペースがシャーシ９５に必要となり、結局ディスクプレーヤが大型化してしまう問題があった。
【０００７】
例えば、再生ユニット９０にベース板９４を取り付けないものとしたら、再生ユニットシャーシ９３の取付部９３ａ，９３ａ，…にインシュレータが設けられ、これらインシュレータにより再生ユニット９０をシャーシ９５に直接取り付けることができる。しかし、この場合、再生ユニット９０は横置き用のものであるため、再生ユニット９０に直接引張バネ９７，９７を連結することができない。そして、これを縦置きにしたものとしたら、再生ユニット９０がシャーシ９５に対してずれてしまう。結局は、ベース板９４を再生ユニット９０に取り付けなければ、横置き用再生ユニット９０を縦置き用のディスクプレーヤに用いることができず、縦置き用の再生ユニットを用いる必要がある。
【０００８】
そこで、本発明の課題は、ディスクプレーヤ（ディスク装置）が大型化せずに、例えば横置き用に設計された再生ユニットを縦置き用のディスクプレーヤに適用できるようにすることにある。
【０００９】
【課題を解決するための手段】
以上の課題を解決すべく、請求項１記載の発明は、ディスクに記録された情報を読みとるディスク読取部（例えば、図１に示す光ピックアップ３）を備えた再生ユニット（例えば、図１に示す再生ユニット１）をディスク装置のシャーシに保持する再生ユニット保持機構において、前記シャーシには、該シャーシの取付面上に、前記再生ユニットを浮動状態に支持する支持手段（例えば、図１に示すインシュレータ１０）と、前記再生ユニットを重力に抗して前記取付面と平行な方向に弾性的に押圧する押圧手段（例えば、図１に示す押圧機構２０）とが設けられ、前記押圧手段は、前記シャーシに、基端部を支点として回転可能に設けられたアーム部（例えば、図１に示すアーム部２１）と、このアーム部の先端部を前記再生ユニットに弾性的に付勢する付勢手段（例えば、図１に示す圧縮バネ２３）とを備え、前記付勢手段によって前記アーム部の先端部が前記再生ユニットに弾性的に当接することで、該再生ユニットを重力に抗して弾性的に押圧していることを特徴とする。
【００１０】
以上のように、請求項１記載の発明によれば、再生ユニットは支持手段を介してシャーシに浮動状態に直接取り付けられているため、取付面が水平な場合を除いて重力により再生ユニットが取付面に平行な方向にシャーシに対してずれてしまう。しかし、本発明のように、再生ユニットが、重力に抗して弾性的に押圧されているため、再生ユニットが所定の位置に保持される。即ち、再生ユニットがシャーシに対してずれてしまうことが、押圧手段により防止される。
【００１１】
このように請求項１記載の発明では、再生ユニットを押圧することにより再生ユニットが保持されるため、従来例のように再生ユニットに対して引張バネを掛けるためのベース板を取り付ける必要がなくなる。したがい、ベース板の分だけディスク装置の小型化が図れる。即ち、本発明によれば、再生ユニットに対して何ら工夫することなく、従来の再生ユニットでも所定の位置に保持することができる。
例えば、ディスク装置が縦置きの場合、基本的に取付面は略鉛直となる。したがって、再生ユニットは取付面の平行な方向に重力が作用するが、押圧手段が再生ユニットを押圧することで、再生ユニットが保持される。即ち、再生ユニットに対して何ら工夫をせずとも、再生ユニットを保持することができるため、横置き用に設計された再生ユニットを、縦置き用のディスク装置に用いることができる。したがい、縦置き用ディスク装置と横置き用ディスク装置とで部品を統一化することができ、さらなるコストダウンを図ることができる。
また、アーム部と付勢手段という簡単な構成で再生ユニットの面部を押圧して、再生ユニットを保持することができる。即ち、再生ユニットに対して何ら工夫することなく、シャーシに対してアーム部と付勢手段を設けるだけで、従来の再生ユニットでも所定の位置に保持することができる。
【００１２】
なお、ディスクとは、コンパクトディスク（ＣＤ）、ミニディスク（ＭＤ）、レーザーディスク（ＬＤ）、デジタル−ビデオディスク（ＤＶＤ）等である。また、再生ユニットは、基本的に回転自在なターンテーブルを備えている。そして、クランパ等を備えるクランプ機構、或いはディスクを挿入・排出するディスクローディング機構等とターンテーブルとによりディスクがクランプされ、ディスクはターンテーブルの回転軸と略垂直となる。そして、ターンテーブル等を回転させることによりディスクを回転させる駆動機構がディスク装置に備えられており、この駆動機構は基本的に再生ユニットに設けられている。ディスク読取部は基本的にディスクの半径方向に移動することにより回転しているディスクの記録内容を読みとる。縦置き用のディスク装置とは、基本的にターンテーブルの回転軸が略水平方向となること意味し、ターンテーブルに保持されたディスクは鉛直方向に略平行となる。また、横置き用のディスク装置とは、基本的にターンテーブルの回転軸が略鉛直方向となることを意味し、ターンテーブルに保持されたディスクは水平方向に略平行となる。
【００１３】
請求項２記載の発明は、請求項１記載の再生ユニット保持機構において、
前記押圧手段が前記再生ユニットの周囲に複数配置されていることを特徴としている。
【００１４】
以上のように、請求項２記載の発明によれば、再生ユニットの周囲に押圧手段が複数設けられているため、再生ユニットがシャーシに安定して保持される。例えば、二つの押圧手段の場合、再生ユニットを二点で押圧することにより、当該再生ユニット保持することができるため、その保持安定性が向上する。
【００１７】
【発明の実施の形態】
以下に、本発明に係る再生ユニット保持機構について、好適な実施の形態例を説明する。本実施の形態例では、再生ユニット保持機構はＣＤプレーヤに設けられている。なお、本発明は、ＣＤプレーヤに限らず、ＤＶＤプレーヤ、ＬＤプレーヤ、ＣＤ−Ｒ、ＣＤ−ＲＷ、ＭＤプレーヤ等のディスク装置にも適用できる。
【００１８】
まず、再生ユニットについて説明する。図１に示すように、再生ユニット１は、ＣＤを保持するためのターンテーブル２と、ターンテーブル２を回転駆動させる駆動機構（図示略）と、ＣＤの信号を読みとりＣＤの記録内容（情報）を読み取る光ピックアップ３と、光ピックアップ３をＣＤの半径方向に移動させるピックアップ駆動機構（図示略）と、該ピックアップ駆動機構及び前記駆動機構を支持する再生ユニットシャーシ４とを備えて構成されている。
【００１９】
再生ユニットシャーシ４は、ＣＤを保持する側のユニット面部４ａと、ユニット面部４ａに対して垂直となるようにユニット面部４ａの外周に設けられる面部４ｂとが一体となって構成されている。
【００２０】
前記駆動機構は、例えば、モータであり、再生ユニットシャーシ４の内側に設けられている。該駆動機構の駆動軸がユニット面部４ａから外側に向けて突出している。そして、該駆動機構の駆動軸にターンテーブル２が設けられており、ターンテーブル２は前記駆動機構の駆動軸を軸として回転する。なお、面部４ｂに対してターンテーブル２の回転軸はほぼ平行となっている。また、ＣＤは、ＣＤプレーヤに設けられているクランプ機構（図示略）とターンテーブル２とによりクランプされることにより、ターンテーブル２に保持される。
【００２１】
前記ピックアップ駆動機構は再生ユニットシャーシ４の内側に設けられており、該ピックアップ駆動機構に光ピックアップ３が接続されている。外側から内側に貫通する貫通孔４ｃがユニット面部４ａに形成されている。貫通孔４ｃは、、保持されたＣＤの半径方向（ターンテーブル２の回転半径方向）に長尺となる。そして、光ピックアップ３が、この貫通孔４ｃから外側に向いているとともに、前記ピックアップ駆動機構によってこの貫通孔４ｃの長手方向に沿って移動される。
【００２２】
本発明に係る再生ユニット保持機構は、以上のように構成される再生ユニット１をＣＤプレーヤのシャーシ３０に保持するものである。再生ユニット保持機構の詳細について説明する。
【００２３】
再生ユニット保持機構は、ＣＤプレーヤのシャーシ３０に対して再生ユニット１を浮動状態に支持するインシュレータ１０，１０，１０と、ターンテーブル２の回転軸方向に見て再生ユニット１の周囲に設けられる押圧機構（押圧手段）２０，２０とを備えて構成されている。
【００２４】
ターンテーブル２の軸方向へ貫通する貫通孔が再生ユニットシャーシ４の外縁部に複数形成されており（この例では、三つ形成されている。）、各貫通孔においてインシュレータ１０が設けられている。インシュレータ１０は、段ネジ１１と、段ネジ１１を内側に装着するダンパー（図示略）と、更に当該ダンパーを内側に装着するコイルバネ（図示略）とを備えている。そして、段ネジ１１は、ダンパーを介して前記貫通孔に嵌められている。この段ネジ１１は、ＣＤプレーヤのシャーシ３０に止められている。そして、前記コイルバネが、貫通孔においてシャーシ３０の取付面３０ａと再生ユニットシャーシ４に連結している。以上の構成により、再生ユニットシャーシ４がシャーシ３０に支持される。即ち、再生ユニット１は、インシュレータ１０によってシャーシ３０の取付面３０ａに対して浮動状態となるとともに、インシュレータ１０によってシャーシ３０に支持されている。そして、面部４ｂの方向に対して取付面３０ａの方向が略垂直に交わるように、再生ユニット１（再生ユニットシャーシ４）がシャーシ３０に支持されている。
【００２５】
次に、押圧機構２０について説明する。押圧機構２０は、シャーシ３０の取付面３０ａに対して略垂直となる軸を回転軸として回転自在となるアーム部２１と、シャーシ３０の取付面３０ａに突出して設けられるリブ（突部）２２と、アーム部２１の先端部とリブ２２とに連結される圧縮バネ２３とを備えて構成されている。
【００２６】
詳細に説明すると、図２に示すように、ボス２１ｂがシャーシ３０の取付面３０ａに突出して設けられており、このボス２１ｂに対してアーム部２１の基端部が摺動自在に嵌められている。アーム部２１は、このボス２１ｂを支点として、取付面３０ａに対して平行な面に則して回転自在となる。このアーム部２１は、取付面３０ａに支持された再生ユニットシャーシ４の周辺に設けられており、再生ユニットシャーシ４の面部４ｂに近接している。また、リブ２２も、支持された再生ユニットシャーシ４の周辺に設けられているとともに、アーム部２１の回転半径内に設けられている。
【００２７】
図３に示すように、アーム部２１の先端部において、圧縮バネ２３の連結される側の反対側に突部２１ａが形成されている。そして、図１に示すように、圧縮バネ２３がアーム部２１の先端部を周方向に付勢し、アーム部２１の先端部とリブ２２とが離れる方向に付勢される。これにより、突部２１ａが再生ユニットシャーシ４の外縁部（面部４ｂ）に弾性的に当接する。
【００２８】
さて、縦置き用のＣＤプレーヤに以上の構成を適用した場合、ターンテーブル２の回転軸は略水平方向に延在することになるとともに、取付面３０ａは略鉛直方向と平行になる。この場合、再生ユニット１に対して鉛直下方に向けて重力が作用する。一方、押圧機構２０，２０は、再生ユニット１の下側に配置される。したがい、押圧機構２０，２０は、再生ユニット１に作用する重力に抗して、アーム部２１の先端部により再生ユニット１を上方に向けて弾性的に押圧することになる。したがって、縦置き用のＣＤプレーヤに再生ユニット１を設けても、再生ユニット１が下方にずれることなく、押圧機構２０によって再生ユニット１が所定の位置に保持される。
【００２９】
そして、押圧機構２０が二つ設けられるとともに、二つのアーム部２１の先端部が面部４ｂの異なる箇所に当接しているため、再生ユニットシャーシ４は二点で支持される。したがって、二つの押圧機構２０，２０によって安定して再生ユニット１が保持される。なお、押圧機構２０は、二つに限らず、三つ以上でも良い。もちろん、押圧機構２０は一つでも良いが、安定して再生ユニット１を保持するという点では二つ以上が望ましい。
【００３０】
また、本実施の形態例では、押圧することにより再生ユニット１が保持されるため、従来のように引張バネにより引っ張れるためのベース板を再生ユニット（再生ユニットシャーシ）に取り付けたり、縦置き用のＣＤプレーヤに設計された再生ユニット（再生ユニットシャーシ）をＣＤプレーヤに用いたりする必要がなくなる。したがって、本実施の形態例のように、横置き用のＣＤプレーヤに設計された再生ユニット１（再生ユニットシャーシ４）を、縦置きのＣＤプレーヤに用いることができる。そのため、縦置きのＣＤプレーヤに、横置きのＣＤプレーヤ用の再生ユニット１（再生ユニットシャーシ４）を兼用することができる。即ち、再生ユニットの部品を縦横両方のＣＤプレーヤに統一化することができ、さらなるコストダウンを図ることができる。
【００３１】
また、従来のように再生ユニット１を引張バネを用いて引っ張ることによって保持しているのではなく、押圧機構２０を用いて再生ユニット１を押圧することにより保持するため、ベース板を設ける必要がなくなる。そのため、ＣＤプレーヤの小型化が図れる。したがい、ＣＤプレーヤ全体としての製造コストの削減が図れる。
【００３２】
更に、アーム部２１の先端部が、面部４ｂに対して垂直となる方向に面部４ｂを押圧しているため、効率よく面部４ｂを押圧することができる。したがって、再生ユニット１が効率よく保持され、このため、再生ユニット１が取付面３０ａに対して平行にずれることを効率よく防止することができる。また、回転自在なアーム部２１、及びこのアーム部２１を付勢する圧縮バネ２３という簡単な構成で、面部４ｂを押圧することができる。
【００３３】
なお、本発明は、前記実施の形態例で説明したものに限らず、種々の変形実施が可能である。
【００３４】
例えば、押圧機構２０の付勢手段は、圧縮バネ２３としたが、ゴム等の付勢する弾性部材であっても良い。また、再生ユニットシャーシ４をシャーシ３０の取付面３０ａに保持する支持手段をインシュレータ１０としたが、例えばゴム等により構成されるエアダンパでもよい。エアダンパの場合内部に中空が形成されており、ゴムが弾性的に再生ユニットシャーシ４を保持し、中空内のエアがゴムの振動等を減衰するものとして機能する。
【００３５】
また、押圧機構２０の付勢手段は圧縮バネ２３としたが、ねじりバネ（コイルバネ）であっても良い。この場合、ねじりバネのねじり中心がアーム部２１の回転軸とほぼ同一となり、ねじりバネの一方の端部がアーム部２１に当接し、他方の端部がリブ２２に当接する。そして、アーム部２１の先端部がリブ２２から離れる方向に、アーム部２１が付勢される。なお、この場合、アーム部２１を介さずに、ねじりバネの一方の端部が面部４ｂに直接当接するようにしても良い。
【００３６】
また、押圧機構２０は、アーム部２１が回転自在となることにより、再生ユニット１を押圧していたが、直動型の押圧機構としても良い。例えば、支持された再生ユニット１に向けて延出するガイドをリブ２２に設け、このガイドに圧縮バネを環装させる。この圧縮バネの一方の端部にリブ２２が連結し、他方の端部に部材が連結する。そして、圧縮バネによりこの部材が付勢され、この部材が再生ユニット１を弾性的に当接することにより、再生ユニット１を押圧するようになる。この場合、ガイドは取付面３０ａと略平行な方向に延在している。
【００３７】
また、本発明に係る再生ユニット保持機構は、前記実施の形態例に限らず、例えば、図４に示すディスク装置５０の他、別のディスク装置にも適用できる。図４に示す例では、二つの押圧機構２０，２０の押圧方向は、取付面３０ａと平行な面に則しているが、それぞれ異なる方向に押圧している。そして、二つの押圧機構２０，２０は再生ユニット１の重力に抗して押圧している。図４に示すディスク装置５０が縦置き用のディスク装置である場合、図面上下方向が鉛直方向となる。したがって、二つの押圧機構２０，２０は、再生ユニット１の下方に設けられており、それぞれの押圧機構２０は少なくとも鉛直上方に向けて面部４ｂを押圧している。この場合、一方の押圧機構２０は鉛直方向より傾いて斜め上方に向けて押圧している。また、再生ユニット１の外周より外の部分は別のシャーシによって被覆されるが、リブ２２やボス２１ｂはその別のシャーシ裏面に設けられていても良い。この別のシャーシにより押圧機構２０も被覆される。なお、図４に示す符号については、前記実施の形態例と同一の符号を付すことで、その説明を省略する。
【００３８】
【発明の効果】
以上のように、請求項１記載の発明によれば、再生ユニットが、重力に抗して弾性的に押圧されているため、再生ユニットが所定の位置に保持される。即ち、再生ユニットがシャーシに対してずれてしまうことが、押圧手段により防止される。そして、再生ユニットを押圧することにより再生ユニットが保持されるため、従来例のように再生ユニットに対して引張バネを掛けるためのベース板を取り付ける必要がなくなる。したがい、ベース板の分だけディスク装置の小型化が図れる。更に、再生ユニットを縦置き用ディスク装置及び横置き用ディスク装置に兼用することができるため、部品を統一化することができ、さらなるコストダウンを図ることができる。
また、再生ユニットに対して何ら工夫することなく、シャーシに対してアーム部と付勢手段を設けるだけで、従来の再生ユニットでも所定の位置に保持することができる。即ち、横置き用のディスク装置に用いられる再生ユニットを縦置き用のディスク装置に用いることができる。
【００３９】
請求項２記載の発明によれば、押圧手段が複数配置されるため、再生ユニットの保持安定性が向上する。
【図面の簡単な説明】
【図１】本発明に係る再生ユニット保持機構を適用したディスク装置の主要部を概略的に示した斜視図である。
【図２】上記再生ユニットの保持機構が備えるアーム部の取付構造を示すための断面図である。
【図３】上記再生ユニットの保持機構が備えるアーム部を概略的に示した斜視図である。
【図４】本発明に係る再生ユニット保持機構を適用したディスク装置を概略的に示した図面である。
【図５】従来の再生ユニットを保持するための保持機構を概略的に示した斜視図である。
【符号の説明】
１      再生ユニット
３      光ピックアップ（ディスク読取部）
４      再生ユニットシャーシ
１０      インシュレータ（支持手段）
２０      押圧機構（押圧手段）
２１      アーム部
２２      リブ
２３      圧縮バネ（付勢手段）
３０      シャーシ
３０ａ      取付面
５０      ディスク装置
【図１】
0003661091.tif 000002
【図２】
0003661091.tif 000003
【図３】
0003661091.tif 000004
【図４】
0003661091.tif 000005
【図５】
0003661091.tif 000006